(57)【特許請求の範囲】
【請求項１】
入力ＷＤＭ信号から予め決められた波長グリッドのグリッド上に配置されている光信号を選択する波長選択スイッチと、
通過波長を同調可能な光チューナブルフィルタを含み、前記波長グリッドのグリッド上に配置されている光信号を通過させることなく、且つ、前記波長グリッドに依存することなく光信号を通過させる光フィルタ回路と、
前記入力ＷＤＭ信号を分岐して前記光フィルタ回路に導く分岐器と、
前記波長選択スイッチにより選択される光信号および前記光フィルタ回路から出力される光信号を合波する合波器と、
を備える光伝送装置。
【請求項２】
請求項１に記載の光伝送装置であって、
前記光チューナブルフィルタの通過波長を制御するコントローラをさらに備え、
前記コントローラは、前記波長グリッドのグリッド上に配置されていない波長を選択する制御信号を出力し、
前記光チューナブルフィルタは、前記制御信号に応じて、通過波長に同調する
ことを特徴とする光伝送装置。
【請求項３】
請求項１に記載の光伝送装置であって、
前記入力ＷＤＭ信号に含まれる前記波長グリッドのグリッド上に配置されている光信号を波長ごとに分離する第１のデマルチプレクサと、
前記入力ＷＤＭ信号に含まれる前記波長グリッドのグリッド上に配置されていない光信号を波長ごとに分離する第２のデマルチプレクサと、
前記波長グリッドのグリッド上に配置されている光信号を多重化する第１のマルチプレクサと、
前記波長グリッドのグリッド上に配置されていない光信号を多重化する第２のマルチプレクサ、をさらに備え、
前記分岐器は、前記入力ＷＤＭ信号を分岐して前記光フィルタ回路、前記第１のデマルチプレクサ、前記第２のデマルチプレクサに導き、
前記第１および第２のマルチプレクサから出力される光信号は、前記波長選択スイッチにより選択される光信号に合波される
ことを特徴とする光伝送装置。
【請求項４】
請求項１〜３のいずれか１つに記載の光伝送装置であって、
前記光フィルタ回路は、複数の光チューナブルフィルタと、前記分岐器から導かれてくるＷＤＭ信号を分岐して前記複数の光チューナブルフィルタに導く分岐回路と、前記複数の光チューナブルフィルタから出力される光信号を合波する合波回路、を備える
ことを特徴とする光伝送装置。
【請求項５】
請求項１に記載の光伝送装置であって、
前記光フィルタ回路は、
通過波長を同調可能な複数の光チューナブルフィルタと、
前記複数の光チューナブルフィルタの通過波長を制御するコントローラと、
前記ＷＤＭ信号を分岐して前記複数の光チューナブルフィルタに導く分岐回路と、
前記複数の光チューナブルフィルタから出力される光信号を合波する合波回路と、を備え、
前記コントローラは、前記複数の光チューナブルフィルタの中の第１の光チューナブルフィルタの通過波長に同調する調整期間において、前記第１の光チューナブルフィルタの出力光が前記光フィルタ回路から出力されないように或いは前記第１の光チューナブルフィルタの出力光のパワーを低下するように、前記光フィルタ回路を制御する
ことを特徴とする光伝送装置。
【請求項６】
入力ＷＤＭ信号から予め決められた波長グリッドのグリッド上に配置されている光信号を選択する波長選択スイッチと、
通過波長を同調可能な光チューナブルフィルタを含み、前記波長グリッドのグリッド上に配置されていない光信号を通過させる光フィルタ回路と、
前記入力ＷＤＭ信号を分岐して前記光フィルタ回路に導く分岐器と、
前記波長選択スイッチにより選択される光信号および前記光フィルタ回路から出力される光信号を合波する合波器と、を備え
前記光フィルタ回路は、
通過波長を同調可能な複数の光チューナブルフィルタと、
前記複数の光チューナブルフィルタの通過波長を制御するコントローラと、
前記ＷＤＭ信号を分岐して前記複数の光チューナブルフィルタに導く分岐回路と、
前記複数の光チューナブルフィルタから出力される光信号を合波する合波回路と、を備え、
前記分岐回路は、入力光を分岐して前記第１の光チューナブルフィルタおよび前記複数の光チューナブルフィルタの中の第２の光チューナブルフィルタに導く、分岐比を調整可能な可変光スプリッタを含み、
前記コントローラは、前記複数の光チューナブルフィルタの中の第１の光チューナブルフィルタの通過波長に同調する調整期間において、前記第１の光チューナブルフィルタへの入力光のパワーを低下させるように、前記可変光スプリッタの分岐比を制御する
ことを特徴とする光伝送装置。
【請求項７】
請求項６に記載の光伝送装置であって、
前記複数の光チューナブルフィルタの入力側または出力側にそれぞれ可変光減衰器を備え、
前記コントローラは、前記調整期間において、前記第２の光チューナブルフィルタから出力される光信号のパワーの変化を補償するように、前記第２の光チューナブルフィルタに対応する前記可変光減衰器を制御する
ことを特徴とする光伝送装置。
【請求項８】
入力ＷＤＭ信号から予め決められた波長グリッドのグリッド上に配置されている光信号を選択する波長選択スイッチと、
通過波長を同調可能な光チューナブルフィルタを含み、前記波長グリッドのグリッド上に配置されていない光信号を通過させる光フィルタ回路と、
前記入力ＷＤＭ信号を分岐して前記光フィルタ回路に導く分岐器と、
前記波長選択スイッチにより選択される光信号および前記光フィルタ回路から出力される光信号を合波する合波器と、を備え
前記光フィルタ回路は、
通過波長を同調可能な複数の光チューナブルフィルタと、
前記複数の光チューナブルフィルタの通過波長を制御するコントローラと、
前記ＷＤＭ信号を分岐して前記複数の光チューナブルフィルタに導く分岐回路と、
前記複数の光チューナブルフィルタから出力される光信号を合波する合波回路と、を備え、
前記合波回路は、前記第１の光チューナブルフィルタおよび前記複数の光チューナブルフィルタの中の第２の光チューナブルフィルタの出力光を合波する、合波比を調整可能な可変光カプラを含み、
前記コントローラは、前記複数の光チューナブルフィルタの中の第１の光チューナブルフィルタの通過波長に同調する調整期間において、前記第１の光チューナブルフィルタの出力光のパワーを低下させるように、前記可変光カプラの分岐比を制御する
ことを特徴とする光伝送装置。
【請求項９】
請求項５に記載の光伝送装置であって、
前記複数の光チューナブルフィルタにそれぞれ対応する複数の可変光減衰器をさらに備え、
前記コントローラは、前記調整期間において、前記第１の光チューナブルフィルタからの出力光のパワーを低下させるように、前記第１の光チューナブルフィルタに対応する前記可変光減衰器を制御する
ことを特徴とする光伝送装置。
【請求項１０】
請求項５に記載の光伝送装置であって、
前記分岐回路は、前記ＷＤＭ信号から第１の帯域内の複数の光信号を抽出して第１グループに属する対応する光チューナブルフィルタへ導くと共に、前記ＷＤＭ信号から前記第１の帯域と異なる第２の帯域内の複数の光信号を抽出して第２グループに属する対応する光チューナブルフィルタへ導く帯域フィルタである
ことを特徴とする光伝送装置。
【請求項１１】
請求項１に記載の光伝送装置であって、
前記光フィルタ回路は、
通過波長に同調可能かつ通過帯域幅を調整可能な複数の光チューナブルフィルタと、
前記複数の光チューナブルフィルタの通過波長および通過帯域幅を制御するコントローラと、
前記ＷＤＭ信号を分岐して前記複数の光チューナブルフィルタに導く分岐回路と、
前記複数の光チューナブルフィルタから出力される光信号を合波する合波回路と、を備え、
前記コントローラは、対象光チューナブルフィルタが選択する光信号の波長に基づいて第１の制御信号を生成すると共に、前記対象光チューナブルフィルタが選択する光信号のビットレートに基づいて第２の制御信号を生成し、
前記対象光チューナブルフィルタは、前記第１の制御信号に応じて通過波長に同調し、前記第２の制御信号に応じて通過帯域幅を調整する
ことを特徴とする光伝送装置。
【発明の詳細な説明】
【技術分野】
【０００１】
本発明は、ＷＤＭ信号を伝送する光伝送装置およびＷＤＭ信号をフィルタリングする光フィルタ回路に係わる。
【背景技術】
【０００２】
近年、ＷＤＭ信号を伝送する光伝送システムが普及してきている。ＷＤＭは、異なる波長を利用して複数の光信号を伝送することができる。
【０００３】
ＷＤＭ信号を伝送する光伝送システムにおいて、大容量化を実現するために、波長間隔を狭くする（すなわち、波長多重の密度を高くする）構成が提案または開発されている。例えば、ＩＴＵ−Ｔ勧告には、100GHzグリッドおよび50GHzグリッドが記載されている。100GHzグリッドは、所定の波長を基準として、100GHz間隔でＷＤＭ信号の各波長の配置を規定する。同様に、50GHzグリッドは、50GHz間隔でＷＤＭ信号の各波長の配置を規定する。したがって、ＩＴＵ−Ｔ勧告に準拠する光通信システムを構築するときは、その勧告により規定されている波長を利用して光信号が配置される。すなわち、光通信システムおよび光伝送装置の設計は、波長配置依存性の制限を受けることになる。
【０００４】
関連する技術として、下記のＣＷＤＭ光伝送システムが提案されている。このＣＷＤＭ光伝送システムにおいては、ＣＷＤＭ方式に対応した複数の光信号のうちの少なくとも１波の光信号に代えて、ＤＷＤＭ方式の増設光送信ユニットから出力されるＤＷＤＭ光が可変光減衰器を介して合波器に与えられ、ＣＷＤＭ対応の光信号と合波されて伝送路に送出される。このとき伝送路に送出されるＤＷＤＭ光のトータルパワーはＣＷＤＭ光の１波長あたりのパワーと略等しくなるように可変光減衰器で減衰される。光受信局では、伝送路を伝搬した光が分波器で分波され、増設波長に対応したＤＷＤＭ光が光増幅器で増幅された後に増設光受信ユニットで受信される。（例えば、特許文献１）
【０００５】
また、他の関連する技術として、異なる変調速度の信号光を所定の間隔の波長グリッド上の任意の波長に配置できる光伝送装置が提案されている。（例えば、特許文献２）
【先行技術文献】
【特許文献】
【０００６】
【特許文献１】ＷＯ２００５／０９６５３４
【特許文献２】特開２００６−０８６９２０号公報
【発明の概要】
【発明が解決しようとする課題】
【０００７】
上述のように、従来のＷＤＭ伝送システムでは、予め決められた波長グリッド（たとえば、ＩＴＵ−Ｔ勧告に準拠する波長グリッド）を利用して光信号が多重化されて伝送されている。これに対して、将来的には、ＷＤＭ伝送システムの容量をさらに大きくするために、現時点では標準化されていない波長を利用して光信号を多重化する構成が想定される。この場合、新たに規定される波長グリッドに対応する新たな光伝送装置を導入する必要がある。或いは、既存の光伝送装置を新たな光伝送装置に置き換える必要が生じる。すなわち、光通信システム全体で多額のコストが発生し得る。このため、ＷＤＭ伝送システムにおいて、任意または所望の波長を処理できる光伝送装置が期待される。また、波長選択スイッチではＭＥＭＳミラーのフィルファクタ値が小さいものがあり、未使用波長帯域を有効活用できる余地も残っている。
【０００８】
本発明の課題は、ＷＤＭ伝送システムにおいて、任意または所望の波長を処理できる光伝送装置を提供することである。
【課題を解決するための手段】
【０００９】
本発明の１つの態様の光伝送装置は、入力ＷＤＭ信号から予め決められた波長の光信号を選択する波長選択スイッチと、通過波長に同調可能な光チューナブルフィルタを含む光フィルタ回路と、前記入力ＷＤＭ信号を分岐して前記光フィルタ回路に導く分岐器と、前記波長選択スイッチにより選択される光信号および前記光フィルタ回路から出力される光信号を合波する合波器と、を備える。
【００１０】
本発明の１つの態様の光フィルタ回路は、ＷＤＭ信号から指定された波長の光信号を選択する。この光フィルタ回路は、通過波長に同調可能な複数の光チューナブルフィルタと、前記複数の光チューナブルフィルタの通過波長を制御するコントローラと、前記ＷＤＭ信号を分岐して前記複数の光チューナブルフィルタに導く分岐回路と、前記複数の光チューナブルフィルタから出力される光信号を合波する合波回路、を備える。そして、前記コントローラは、前記複数の光チューナブルフィルタの中の第１の光チューナブルフィルタの通過波長に同調する調整期間において、前記第１の光チューナブルフィルタの出力光が前記光フィルタ回路から出力されないように或いは前記第１の光チューナブルフィルタの出力光のパワーを低下するように、前記光フィルタ回路を制御する。
【００１１】
本発明の他の態様の光フィルタ回路は、ＷＤＭ信号から指定された波長の光信号を選択する。この光フィルタ回路は、通過波長に同調可能かつ通過帯域幅に調整可能な複数の光チューナブルフィルタと、前記複数の光チューナブルフィルタの通過波長および通過帯域幅を制御するコントローラと、前記ＷＤＭ信号を分岐して前記複数の光チューナブルフィルタに導く分岐回路と、前記複数の光チューナブルフィルタから出力される光信号を合波する合波回路、を備える。そして、前記コントローラは、対象光チューナブルフィルタが選択する光信号の波長に基づいて第１の制御信号を生成すると共に、前記対象光チューナブルフィルタが選択する光信号のビットレートに基づいて第２の制御信号を生成する。前記対象光チューナブルフィルタは、前記第１の制御信号に応じて通過波長に同調し、前記第２の制御信号に応じて通過帯域幅を調整する。
【発明の効果】
【００１２】
上述の態様によれば、ＷＤＭ伝送システムにおいて、任意または所望の波長を処理できる光伝送装置が提供される。
【図面の簡単な説明】
【００１３】
【図１】実施形態の光伝送装置が使用されるネットワークシステムの一例を示す図である。
【図２】第１の実施形態の光伝送装置の構成を示す図である。
【図３】光伝送装置に入力されるＷＤＭ信号の一例を示す図である。
【図４】第２の実施形態の光伝送装置の構成を示す図である。
【図５】ＷＤＭ信号の波長配置の例を示す図である。
【図６】図４に示す光伝送装置内の信号の状態を示す図（その１）である。
【図７】図４に示す光伝送装置内の信号の状態を示す図（その２）である。
【図８】光フィルタ回路の変形例を示す図である。
【図９】通過波長の同調について説明する図である。
【図１０】信号遮断機能を備える光フィルタ回路の例を示す図（その１）である。
【図１１】信号遮断機能を備える光フィルタ回路の例を示す図（その２）である。
【図１２】信号遮断機能を備える光フィルタ回路の例を示す図（その３）である。
【図１３】信号遮断機能を備える光フィルタ回路の例を示す図（その４）である。
【図１４】信号遮断機能を備える光フィルタ回路の例を示す図（その５）である。
【図１５】ブルー／レッド帯域フィルタの動作を説明する図である。
【図１６】マルチビットレートＷＤＭ信号の例を示す図である。
【図１７】マルチビットレートＷＤＭシステムにおいて使用される光フィルタ回路の一例を示す図である。
【発明を実施するための形態】
【００１４】
図１は、実施形態の光伝送装置が使用されるネットワークシステムの一例を示す。図１に示すネットワークシステムは、光ノード＃１〜＃４を備える。光ノード＃１〜＃４は、光ファイバによりリング状に接続されている。そして、光ノード＃１〜＃４は、図１に示す例では、時計回り方向にＷＤＭ信号を伝送する。
【００１５】
なお、ネットワークシステムは、２重リング構成であってもよい。この場合、ネットワークシステムは、時計回り方向に光信号を伝送する光ファイバリング、および反時計回り方向に光信号を伝送する光ファイバリングを備える。また、ネットワークシステムは、複数のリングネットワークを有してもよい。或いは、ネットワークシステムは、リングネットワークでなくてもよい。
【００１６】
各光ノードは、光分岐挿入装置（ＯＡＤＭ：Optical Add/Drop Multiplexer）を備えている。光分岐挿入装置は、ＷＤＭ信号から１または複数の指定された波長の光信号を分岐（Drop）する機能、および１または複数の指定された波長の光信号をＷＤＭ信号に挿入（Add）する機能を備える。
【００１７】
上記構成のネットワークシステムにおいて、例えば、端局Ａから端局Ｂへデータを送信する際には、端局Ａは、例えば、波長λ１を利用してデータを搬送する光信号を送信する。あるいは、端局Ａが任意の波長で光信号を送信し、光ノード＃１のトランスポンダが波長λ１への変換を行うようにしてもよい。いずれのケースにおいても、光ノード＃１の光分岐挿入装置は、端局Ａから送信される光信号を、光ノード＃２へ向かうＷＤＭ信号に挿入する。光ノード＃２は、このＷＤＭ信号を光ノード＃３へ送信する。そして、光ノード＃３の光分岐挿入装置は、このＷＤＭ信号から波長λ１の光信号を分岐して端局Ｂへ導く。これにより、端局Ａから送信されるデータは、端局Ｂにより受信される。
【００１８】
端局Ｃから端局Ａへデータを送信する際には、端局Ｃは、例えば、波長λ２を利用してデータを搬送する光信号を送信する。そうすると、光ノード＃４の光分岐挿入装置は、端局Ｃから送信される光信号を、光ノード＃１へ向かうＷＤＭ信号に挿入する。そして、光ノード＃１の光分岐挿入装置は、このＷＤＭ信号をから波長λ２の光信号を抽出して端局Ａへ導く。これにより、端局Ｃから送信されるデータは、端局Ａにより受信される。
【００１９】
実施形態の光伝送装置は、図１に示す例では、各光ノードに設けられる光分岐挿入装置に適用される。ただし、本発明の光伝送装置は、光分岐挿入装置に限定されるものではなく、ＷＤＭ信号を伝送する通信装置に適用可能である。
【００２０】
＜第１の実施形態＞
図２は、第１の実施形態の光伝送装置の構成を示す図である。第１の実施形態の光伝送装置１は、光伝送路＃WESTからＷＤＭ信号を受信し、光伝送路＃EASTへＷＤＭ信号を送信する。ここで、光伝送装置１が、例えば、図１に示す光ノード装置＃１に設けられている光分岐挿入装置である場合、光伝送路＃WESTは、光ノード＃４から光ノード＃１へ光信号を伝送する光ファイバ伝送路に相当し、光伝送路＃EASTは、光ノード＃１から光ノード＃２へ光信号を伝送する光ファイバ伝送路に相当する。
【００２１】
また、光伝送装置１は、入力ＷＤＭ信号（すなわち、光伝送路＃WESTを介して受信するＷＤＭ信号）から、指定された波長の光信号を抽出してクライアント回線へ導くことができる。さらに、光伝送装置１は、クライアント回線から受信する光信号を、出力ＷＤＭ信号（すなわち、光伝送路＃EASTを介して送信されるＷＤＭ信号）に挿入することができる。
【００２２】
光伝送装置１は、図２に示すように、光アンプ１１、光スプリッタ１２、波長選択スイッチ（ＷＳＳ：Wavelength Selective Switch）１３、光カプラ１４、光アンプ１５、光デマルチプレクサ（ＤＥＭＵＸ）１６、光マルチプレクサ（ＭＵＸ）１７、光フィルタ回路１８、コントローラ１９を備える。そして、光伝送装置１には、ＷＤＭ信号が入力される。
【００２３】
図３は、光伝送装置１に入力されるＷＤＭ信号の一例を示す。この例では、ＷＤＭ信号は、光信号＃１〜＃４、＃１１、＃１２を含んでいる。光信号＃１〜＃４の波長は、それぞれλ１〜λ４である。λ１〜λ４は、予め決められた波長グリッド（例えば、ＩＴＵ−Ｔ勧告に準拠する100GHzグリッド）上に配置されている。すなわち、光信号＃１〜＃４は、波長グリッド上の波長を利用して伝送される。また、光信号＃１１、＃１２の波長は、それぞれλ１１、λ１２である。λ１１、λ１２は、上述の波長グリッド上に配置されていない。すなわち、光信号＃１１、＃１２は、波長グリッド上に配置されていない波長を利用して伝送される。
【００２４】
光アンプ１１は、プリアンプであって、入力ＷＤＭ信号を増幅する。また、光アンプ１１は、例えば、エルビウム添加ファイバアンプ（ＥＤＦＡ）である。
【００２５】
光スプリッタ１２は、光アンプ１１によって増幅されたＷＤＭ信号を分岐して波長選択スイッチ１３、光デマルチプレクサ１６、光フィルタ回路１８に導く。なお、図２に示す例では、光スプリッタ１２は、入力ＷＤＭ信号を２つの信号に分岐する。そして、一方のＷＤＭ信号が波長選択スイッチ１３に導かれ、他方のＷＤＭ信号がさらに分岐されて光デマルチプレクサ１６および光フィルタ回路１８に導かれている。しかし、光スプリッタ１２は、この構成に限定されるものではない。すなわち、光スプリッタ１２は、例えば、入力ＷＤＭ信号を３以上の信号に分岐してもよい。
【００２６】
波長選択スイッチ１３は、入力ＷＤＭ信号から予め決められた波長グリッド上の光信号を選択する。この例では、波長選択スイッチ１３は、100GHzグリッド上に配置されている複数の光信号の中から、コントローラ１９により指定される光信号を選択する。図３に示す例では、波長選択スイッチ１３は、波長グリッド上の波長λ１〜λ４を利用して伝送される光信号＃１〜＃４の中から、コントローラ１９により指定される光信号を選択することができる。
【００２７】
光カプラ１４は、波長選択スイッチ１３により選択される光信号、光マルチプレクサ１７から出力される光信号、光フィルタ回路１８から出力される光信号を合波する。なお、図２に示す例では、光カプラ１４は、２つの入力ポートを有する。そして、波長選択スイッチ１３により選択される光信号が光カプラ１４の一方の入力ポートに導かれる。また、光マルチプレクサ１７から出力される光信号および光フィルタ回路１８から出力される光信号が合波されて光カプラ１４の他方の入力ポートに導かれる。しかし、光カプラ１４はこの構成に限定されるものではない。すなわち、光カプラ１４は、３以上の入力ポートを備えてもよい。この場合、波長選択スイッチ１３により選択される光信号、光マルチプレクサ１７から出力される光信号、光フィルタ回路１８から出力される光信号が、それぞれ光カプラ１４の異なる入力ポートに導かれる。
【００２８】
光アンプ１５は、ポストアンプであって、光カプラ１４から出力される光信号（すなわち、出力ＷＤＭ信号）を増幅する。また、光アンプ１５は、例えば、エルビウム添加ファイバアンプ（ＥＤＦＡ）である。
【００２９】
光デマルチプレクサ１６は、入力ＷＤＭ信号に含まれる光信号を波長ごとに分離する。ここで、光デマルチプレクサ１６は、例えば、100GHzグリッド上に配置されている光信号を波長ごとに分離する。図３に示す例では、光デマルチプレクサ１６は、光信号＃１〜＃４を分離して異なる出力ポートを介して出力する。なお、入力ＷＤＭ信号に含まれている他の波長の光信号は、光デマルチプレクサ１６において遮断される。そして、光デマルチプレクサ１６の出力信号は、それぞれ、例えばトランスポンダを介して、対応するクライアント回線に導かれる。すなわち、入力ＷＤＭ信号から指定された波長の光信号が抽出されてクライアント装置へ送信される。
【００３０】
光マルチプレクサ１７は、クライアント回線を介して導かれてくる光信号を波長多重する。各クライアント回線と光マルチプレクサ１７との間には、それぞれ、例えばトランスポンダが実装されていてもよい。各クライアント回線を介して導かれてくる光信号の波長は、互いに異なっている。また、各クライアント回線を介して導かれてくる光信号の波長は、100GHzグリッド上に配置されているものとする。そして、光マルチプレクサ１７の出力信号は、光カプラ１４に導かれる。すなわち、クライアント装置から送信される信号は、ＷＤＭ信号に挿入される。
【００３１】
光フィルタ回路１８には、光スプリッタ１２により分岐されたＷＤＭ信号が導かれる。また、光フィルタ回路１８は、通過波長を同調可能な光チューナブルフィルタを含む。すなわち、光フィルタ回路１８は、入力ＷＤＭ信号から所望の波長の光信号を選択することができる。そして、光フィルタ回路１８から出力される光信号は、光カプラ１４に導かれる。したがって、光フィルタ回路１８から出力される光信号は、光カプラ１４において、波長選択スイッチ１３により選択される光信号と合波される。
【００３２】
光フィルタ回路１８は、分岐回路２１、複数の光チューナブルフィルタ２２−１〜２２−８、合波回路２３を備える。なお、図２に示す例では、光フィルタ回路１８は８個の光チューナブルフィルタ２２−１〜２２−８を備えるが、光フィルタ回路１８が備える光チューナブルフィルタの個数は特に限定されるものではない。
【００３３】
分岐回路２１は、入力ＷＤＭ信号を分岐して光チューナブルフィルタ２２−１〜２２−８に導く。ここで、分岐回路２１は、好ましくは、実質的に同じパワーのＷＤＭ信号を光チューナブルフィルタ２２−１〜２２−８に導く。なお、図２では表記の一部が省略されているが、図２に描かれている８個の光チューナブルフィルタは、上から順番に、光チューナブルフィルタ２２−１、２２−２、２２−３、．．．、２２−８を表している。
【００３４】
分岐回路２１は、この実施例では、多段に接続された光スプリッタ２２ａ〜２２ｇを備える。光スプリッタ２２ａは、入力ＷＤＭ信号を分岐して光スプリッタ２２ｂ、２２ｃに導く。光スプリッタ２２ｂは、光スプリッタ２２ａから出力されるＷＤＭ信号を分岐して光スプリッタ２２ｄ、２２ｅに導く。光スプリッタ２２ｃは、光スプリッタ２２ａから出力されるＷＤＭ信号を分岐して光スプリッタ２２ｆ、２２ｇに導く。光スプリッタ２２ｄは、光スプリッタ２２ｂから出力されるＷＤＭ信号を分岐して光チューナブルフィルタ２２−１、２２−２に導く。光スプリッタ２２ｅは、光スプリッタ２２ｂから出力されるＷＤＭ信号を分岐して光チューナブルフィルタ２２−３、２２−４に導く。光スプリッタ２２ｆは、光スプリッタ２２ｃから出力されるＷＤＭ信号を分岐して光チューナブルフィルタ２２−５、２２−６に導く。光スプリッタ２２ｇは、光スプリッタ２２ｃから出力されるＷＤＭ信号を分岐して光チューナブルフィルタ２２−７、２２−８に導く。なお、光スプリッタ２２ａ〜２２ｇは、それぞれ、入力光を均等に分岐する。
【００３５】
光チューナブルフィルタ２２−１〜２２−８は、それぞれ、コントローラ１９からの制御信号に応じて、通過波長に同調することができる。光チューナブルフィルタ２２−１〜２２−８は、例えば、印加電圧に応じて通過波長に同調することができる。また、光チューナブルフィルタ２２−１〜２２−８は、他のパラメータに応じて通過波長に同調する構成であってもよい。
【００３６】
合波回路２３は、光チューナブルフィルタ２２−１〜２２−８から出力される光信号を合波する。合波回路２３は、この実施例では、多段に接続された光カプラ２３ａ〜２３ｇを備える。光カプラ２３ａは、光チューナブルフィルタ２２−１、２２−２から出力される光信号を合波する。光カプラ２３ｂは、光チューナブルフィルタ２２−３、２２−４から出力される光信号を合波する。光カプラ２３ｃは、光チューナブルフィルタ２２−５、２２−６から出力される光信号を合波する。光カプラ２３ｄは、光チューナブルフィルタ２２−７、２２−８から出力される光信号を合波する。光カプラ２３ｅは、光カプラ２３ａ、２３ｂから出力される光信号を合波する。光カプラ２３ｆは、光カプラ２３ｃ、２３ｄから出力される光信号を合波する。光カプラ２３ｇは、光カプラ２３ｅ、２３ｆから出力される光信号を合波する。
【００３７】
コントローラ１９は、光伝送装置１を含む光通信システムのユーザまたは管理者からの指示に基づいて、光伝送装置１の動作を制御する。すなわち、コントローラ１９は、波長選択スイッチ１３が選択する波長、および光チューナブルフィルタ２２−１〜２２−８の通過波長を指定する。コントローラ１９は、波長を指定する処理に加えて、他の処理を実行してもよい。なお、コントローラ１９は、特に限定されるものではないが、制御プログラムを実行するプロセッサおよびメモリを備えてもよい。
【００３８】
コントローラ１９は、波長選択スイッチ１３を制御する制御信号Ａ、および光フィルタ回路１８を制御する制御信号Ｂを生成する。制御信号Ａは、上述の波長グリッド上に配置されている１または複数の光信号を選択する。図３に示す例では、制御信号Ａは、光信号＃１〜＃４の中から所望の光信号を選択することができる。そうすると、波長選択スイッチ１３は、入力ＷＤＭ信号から、制御信号Ａにより指定された波長を選択する。なお、光伝送路＃WESTからのＷＤＭ信号に含まれている複数の光信号の中で、制御信号Ａにより選択された光信号は、光伝送路＃EASTに出力される。すなわち、制御信号Ａは、波長グリッド上に配置されている光信号の中から、光伝送装置１をスルーする光信号を指定する。
【００３９】
制御信号Ｂは、上述の波長グリッド上に配置されていない１または複数の光信号を選択することができる。図３に示す例では、制御信号Ｂは、光信号＃１１、＃１２の中から所望の光信号を選択することができる。そうすると、光フィルタ回路１８は、入力ＷＤＭ信号から、制御信号Ｂにより指定された波長を選択する。なお、光フィルタ回路１８には、上述したように、光伝送路＃WESTからのＷＤＭ信号が光スプリッタ１２により分岐されて導かれてくる。そして、光フィルタ回路１８の出力信号は、光カプラ１４を介して光伝送路＃EASTに導かれる。すなわち、制御信号Ｂは、波長グリッド上に配置されていない光信号の中から、光伝送装置１をスルーする光信号を指定することができる。
【００４０】
上記構成の光伝送装置１に、図３に示すＷＤＭ信号が入力されるものとする。ここで、光信号＃１〜＃４は、100GHzグリッド上に配置されているものとする。また、光信号＃１１、＃１２は、100GHzグリッド上に配置されていないものとする。この場合、コントローラ１９は、波長選択スイッチ１３に波長λ１、λ２、λ３、λ４の中から所望の波長を選択させる制御信号Ａを生成する。また、コントローラ１９は、例えば、光チューナブルフィルタ２２−１、２２−２にそれぞれ波長λ１１、λ１２を選択させる制御信号Ｂを生成する。
【００４１】
そうすると、波長選択スイッチ１３は、入力ＷＤＭ信号から、制御信号Ａにより指定された波長を選択する。例えば、制御信号Ａがλ１、λ２を指定するときは、波長選択スイッチ１３は、入力ＷＤＭ信号から光信号＃１、＃２を抽出して出力する。
【００４２】
また、光フィルタ回路１８は、入力ＷＤＭ信号から、制御信号Ｂにより指定された波長を選択する。例えば、制御信号Ｂが光チューナブルフィルタ２２−１、２２−２にそれぞれ波長λ１１、λ１２を選択させるときは、光チューナブルフィルタ２２−１、２２−２は、それぞれ、入力ＷＤＭ信号から、光信号＃１１、＃１２を抽出する。すなわち、光フィルタ回路１８は、制御信号Ｂに従って、入力ＷＤＭ信号から、光信号＃１１、＃１２を抽出して出力する。
【００４３】
光デマルチプレクサ１６は、上述したように、入力ＷＤＭ信号から所望の光信号（ただし、100GHzグリッド上に配置されている光信号）を抽出してクライアント回線に導くことができる。また、光マルチプレクサ１７は、クライアント回線を介して受信する光信号（ただし、100GHzグリッド上に配置されている光信号）を、ＷＤＭ信号に挿入することができる。
【００４４】
このように、光伝送装置１は、波長グリッド上に配置されている光信号については、波長選択スイッチ１３、光デマルチプレクサ１６、光マルチプレクサ１７を利用して、光分岐挿入装置として動作する。また、光伝送装置１は、波長グリッド上に配置されていない光信号については、光フィルタ回路１８を利用することにより、次の光ノードに送信することができる。ここで、光フィルタ回路１８は、コントローラ１９の指示に応じて所望の波長を選択することができる光チューナブルフィルタ２２−１〜２２−８を備える。すなわち、光伝送装置１は、波長グリッド上に配置されていない任意の波長の光信号も、選択的に次の光ノードに送信することができる。換言すれば、光伝送装置１は、波長グリッドに依存しないグリッドレスな光伝送を実現する。
【００４５】
したがって、第１の実施形態の光伝送装置を使用する光通信システムにおいては、ＷＤＭ信号の伝送容量を増やすために、既存の波長グリッド上の光信号に加えて、任意の波長の光信号をＷＤＭ信号に追加することができる。すなわち、第１の実施形態によれば、光伝送装置を置き換えることなく、波長グリッド上に配置されていない任意の波長をＷＤＭ信号に追加することで、伝送容量を増やすことが可能である。
【００４６】
なお、光マルチプレクサ１７から出力される光信号は、光カプラ１４に導かれる代わりに、波長選択スイッチ１３に導かれるようにしてもよい。この場合、波長選択スイッチ１３は、コントローラ１９の指示に応じて、入力ＷＤＭ信号から指定された波長を選択すると共に、光マルチプレクサ１７の出力信号から指定された波長を選択する。ただし、コントローラ１９は、入力ＷＤＭ信号から選択する波長および光マルチプレクサ１７の出力信号から選択する波長が互いに重複しないように、波長選択スイッチ１３を制御する。
【００４７】
また、図２に示す光伝送装置１においては、波長選択スイッチ１３は、ＷＤＭ信号から波長グリッド上の光信号を選択し、光フィルタ回路１８は、ＷＤＭ信号から波長グリッド上に配置されていない光信号を選択する。しかし、光フィルタ回路１８は、コントローラ１９の制御に応じて任意の波長を通過させることができる。したがって、光フィルタ回路１８は、波長グリッド上の光信号を選択することもできる。
【００４８】
＜第２の実施形態＞
図４は、第２の実施形態の光伝送装置の構成を示す図である。第２の実施形態の光伝送装置２は、光アンプ１１、光スプリッタ１２、波長選択スイッチ１３、光カプラ１４、光アンプ１５、光デマルチプレクサ１６、光マルチプレクサ１７、光フィルタ回路１８、コントローラ１９、光スプリッタ３２、光デマルチプレクサ３１、光マルチプレクサ３３、光カプラ３４を備える。なお、図４に示す光アンプ１１、光スプリッタ１２、波長選択スイッチ１３、光カプラ１４、光アンプ１５、光デマルチプレクサ１６、光マルチプレクサ１７、光フィルタ回路１８、コントローラ１９は、図２に示す第１の実施形態と実質的に同じである。
【００４９】
光伝送装置２への入力ＷＤＭ信号は、この実施例では、図５に示すように、50GHz間隔で配置される光信号を伝送するものとする。図５において、波長λ１、λ３、λ５、．．．は、100GHzグリッド上に配置されている。また、波長λ２、λ４、λ６、．．．は、波長λ１、λ３、λ５、．．．をそれぞれ50GHzだけシフトすることにより得られる。
【００５０】
入力ＷＤＭ信号は、光スプリッタ１２、３２を利用して、波長選択スイッチ１３、光デマルチプレクサ１６、光フィルタ回路１８、光デマルチプレクサ３１に導かれる。波長選択スイッチ１３は、ＷＤＭ信号から、100GHzグリッド上の光信号を選択する。すなわち、波長選択スイッチ１３は、波長λ１、λ３、λ５、．．．の中から指定された波長を選択する。光デマルチプレクサ１６は、ＷＤＭ信号から、100GHzグリッド上の光信号を波長ごとに分離してクライアント回線へ導く。すなわち、光デマルチプレクサ１６は、波長λ１、λ３、λ５、．．．の光信号を分離する。光フィルタ回路１８は、ＷＤＭ信号から、100GHzグリッド上に配置されていない光信号を選択することが可能である。すなわち、光フィルタ回路１８は、波長λ２、λ４、λ６、．．．の中から指定された波長を選択する。
【００５１】
光デマルチプレクサ３１は、ＷＤＭ信号に含まれている光信号を波長ごとに分離してクライアント回線へ導く。ここで、光デマルチプレクサ３１は、50GHz間隔で光信号を分離できる。ただし、100GHzグリッド上の光信号は、光デマルチプレクサ１６により分離される。したがって、光デマルチプレクサ３１は、100GHzグリッドから50GHzシフトした波長を有する光信号のみを波長ごとに分離するようにしてもよい。あるいは、光デマルチプレクサ３１により波長ごとに分離された光信号のうち、100GHzグリッドから50GHzシフトした波長を有する光信号のみをクライアント回線へ導くようにしてもよい。いずれにしても、光デマルチプレクサ３１は、波長λ２、λ４、λ６、．．．の光信号をそれぞれ対応するクライアント回線へ導くことができる。
【００５２】
このように、光伝送装置２は、光デマルチプレクサ１６を利用して100GHzグリッド上の光信号をクライアント回線へ導くことができる。また、光伝送装置２は、光デマルチプレクサ３１を利用して100GHzグリッド上に配置されていない光信号をクライアント回線へ導くことができる。
【００５３】
光マルチプレクサ１７は、上述したように、クライアント回線を介して導かれてくる光信号を波長多重する。なお、各クライアント回線を介して光マルチプレクサ１７へ送信される光信号の波長は、100GHzグリッド上に配置されているものとする。
【００５４】
光マルチプレクサ３３は、光マルチプレクサ１７と同様に、クライアント回線を介して導かれてくる光信号を波長多重する。ここで、光マルチプレクサ３３は、50GHz間隔で光信号を波長多重できる。ただし、各クライアント回線を介して光マルチプレクサ３３へ送信される光信号は、100GHzグリッドから50GHzシフトした波長を有するものとする。よって、光マルチプレクサ３３は、実質的には、波長λ２、λ４、λ６、．．．の光信号を多重化する。なお、この実施例では、光デマルチプレクサ３１および光マルチプレクサ３３は、50GHzグリッドを前提としているが、本発明はこれに限定されるものではない。すなわち、光デマルチプレクサ３１および光マルチプレクサ３３は、他の波長グリッド（例えば、25GHz間隔、12.5GHz間隔）であってもよいし、波長チューナブルな構成であってもよい。
【００５５】
光伝送装置２は、光カプラ１４、３４を利用して、波長選択スイッチ１３により選択される光信号、光マルチプレクサ１７、３３から出力される光信号、光フィルタ回路１８から出力される光信号を合波する。すなわち、光伝送装置２は、光マルチプレクサ１７を利用して、100GHzグリッド上の光信号をＷＤＭ信号に挿入することができる。また、光伝送装置２は、光マルチプレクサ３３を利用して、100GHzグリッド上に配置されていない光信号をＷＤＭ信号に挿入することができる。なお、第２の実施形態においても、光マルチプレクサ１７の出力信号は、波長選択スイッチ１３おいて選択されるようにしてもよい。
【００５６】
次に、図６〜図７を参照しながら、第２の実施形態の光伝送装置２の動作を説明する。図６〜図７において、波長λ１、λ３、λ５、λ７、．．．は、100GHzグリッド上の波長である。また、波長λ２、λ４、λ６、．．．は、波長λ１、λ３、λ５、．．．をそれぞれ50GHzだけシフトすることにより得られる。
【００５７】
光伝送装置２は、図６（ａ）に示すＷＤＭ信号を受信するものとする。このＷＤＭ信号は、光信号＃１、＃２、＃４〜＃７を含む。光信号＃１、＃５、＃７は、それぞれ、波長λ１、λ５、λ７を利用してデータを伝送する。すなわち、光信号＃１、＃５、＃７は、100GHzグリッド上に配置されている。一方、光信号＃２、＃４、＃６は、それぞれ、波長λ２、λ４、λ６を利用してデータを伝送する。すなわち、光信号＃２、＃４、＃６は、100GHzグリッド上には配置されておらず、100GHzグリッドから50GHzシフトした対応する波長に配置されている。
【００５８】
入力ＷＤＭ信号は、光アンプ１１により増幅された後、波長選択スイッチ１３、光デマルチプレクサ１６、３１、光フィルタ回路１８に導かれる。すなわち、波長選択スイッチ１３、光デマルチプレクサ１６、３１、光フィルタ回路１８は、それぞれ光信号＃１、＃２、＃４〜＃７を含むＷＤＭ信号を受信する。
【００５９】
波長選択スイッチ１３は、コントローラ１９により生成される制御信号Ａに応じて、ＷＤＭ信号から指定された波長を選択する。ここでは、制御信号Ａは、波長λ１、λ５を指定するものとする。なお、制御信号Ａは、100GHzグリッド上の波長のみを指定することができる。そうすると、波長選択スイッチ１３は、図６（ｂ）に示すように、入力ＷＤＭ信号のから光信号＃１、＃５を抽出して出力する。
【００６０】
なお、波長選択スイッチ１３は、100GHzグリッド上に配置されていない光信号は遮断する。すなわち、光信号＃２、＃４、＃６は、波長選択スイッチ１３において遮断される。また、波長選択スイッチ１３は、100GHzグリッド上の光信号であっても、制御信号Ａにより指定されていなければ、出力しない。すなわち、光信号＃７は、波長選択スイッチ１３から出力されない。
【００６１】
光デマルチプレクサ１６は、100GHzグリッド上に配置されている光信号を波長ごとに分離して出力する。すなわち、光デマルチプレクサ１６は、図６（ｃ）に示すように、光信号＃１、＃５、＃７を出力する。このとき、光信号＃１、＃５、＃７は、光デマルチプレクサ１６の異なる出力ポートを介して出力され、対応するクライアント回線へ導かれる。このように、光伝送装置２は、入力ＷＤＭ信号から光信号＃１、＃５、＃７を抽出して対応するクライアント回線へ導くことができる。
【００６２】
光デマルチプレクサ３１は、100GHzグリッドから50GHzシフトしたグリッド上に配置されている光信号を波長ごとに分離して出力する。すなわち、光デマルチプレクサ３１は、図６（ｄ）に示すように、光信号＃２、＃４、＃６を出力する。このとき、光信号＃２、＃４、＃６は、光デマルチプレクサ３１の異なる出力ポートを介して出力され、対応するクライアント回線へ導かれる。このように、光伝送装置２は、入力ＷＤＭ信号から光信号＃２、＃４、＃６を抽出して対応するクライアント回線へ導くことができる。
【００６３】
光フィルタ回路１８は、コントローラ１９により生成される制御信号Ｂに応じて、ＷＤＭ信号から指定された波長を選択する。ここでは、制御信号Ｂは、波長λ２、λ４を指定するものとする。なお、制御信号Ｂは、波長グリッドに依存することなく、任意のまたは所望の波長を指定することができる。そうすると、光フィルタ回路１８は、図７（ａ）に示すように、入力ＷＤＭ信号のから光信号＃２、＃４を抽出して出力する。
【００６４】
光マルチプレクサ１７は、クライアント回線を介して光信号＃１１を受信する。光信号＃１１の波長は、図７（ｂ）に示すように、λ３である。ここで、光マルチプレクサ１７は、上述したように、100GHzグリッド上に配置されている光信号を波長多重できる。よって、光マルチプレクサ１７は、光信号＃１１を出力する。
【００６５】
光マルチプレクサ３３は、クライアント回線を介して光信号＃１２を受信する。光信号＃１２の波長は、図７（ｃ）に示すように、λ６である。ここで、光マルチプレクサ３３は、上述したように、100GHzグリッドから50GHzシフトした波長に配置されている光信号を波長多重できる。よって、光マルチプレクサ３３は、光信号＃１２を出力する。
【００６６】
波長選択スイッチ１３は、図６（ｂ）に示すように、光信号＃１、＃５を出力する。光フィルタ回路１８は、図７（ａ）に示すように、光信号＃２、＃４を出力する。光マルチプレクサ１７は、図７（ｂ）に示すように、光信号＃１１を出力する。光マルチプレクサ３３は、図７（ｃ）に示すように、光信号＃１２を出力する。そして、光伝送装置２は、光カプラ１４、３４を利用して、波長選択スイッチ１３、光フィルタ回路１８、光マルチプレクサ１７、３３から出力される光信号を合波する。この結果、図７（ｄ）に示すように、光信号＃１、＃２、＃１１、＃４、＃５、＃１２を含むＷＤＭ信号が生成される。さらに、光アンプ１５は、このＷＤＭ信号を増幅して出力する。
【００６７】
このように、第２の実施形態の光伝送装置２は、100GHzグリッド上の光信号に対してだけでなく、100GHzグリッド上に配置されていない光信号に対しても、光分岐挿入装置として動作することができる。よって、第２の実施形態の光伝送装置を使用する光通信システムにおいては、既存の波長グリッド上の光信号に加えて、任意の波長の光信号を追加することができる。すなわち、第２の実施形態によれば、光分岐挿入装置を置き換えることなく、波長グリッド上に配置されていない任意の波長をＷＤＭ信号に追加することで、伝送容量を増やすことが可能である。
【００６８】
なお、第１および第２の実施形態の光伝送装置は、所定の光レベルを確保するために、光アンプ１１、１５の他にも光アンプを備えてもよい。各光アンプの配置および利得は、例えば、シミュレーションおよび測定等に基づいて決定される。
【００６９】
＜光フィルタ回路１８の変形例＞
第１および第２の実施形態において、光フィルタ回路１８は、分岐回路２１、光チューナブルフィルタ２２−１〜２２−８、合波回路２３を備える。しかしながら、光フィルタ回路１８は、図２または図４に示す構成に限定されるものではない。すなわち、光フィルタ回路１８は、他の構成で実現されてもよい。
【００７０】
図８（ａ）に示す例では、光チューナブルフィルタ２２−１〜２２−８は、光チューナブルフィルタアレイ２２Ｘに置き換えられている。この場合、光チューナブルフィルタアレイ２２Ｘは、８個の入力ポートおよび８個の出力ポートを備え、光チューナブルフィルタ２２−１〜２２−８と同等のフィルタリング機能を提供するものとする。光チューナブルフィルタ２２−１〜２２−８を光チューナブルフィルタアレイ２２Ｘに置き換えることにより、光フィルタ回路１８のサイズは小さくなる。
【００７１】
図８（ｂ）に示す例では、分岐回路２１は１×Ｎ光スプリッタ２１Ｘにより実現され、合波回路２３はＮ×１光カプラ２３Ｘにより実現されている。この実施例では、Ｎ＝８である。このように、光スプリッタ２１ａ〜２１ｇを１×Ｎ光スプリッタ２１Ｘに置き換えると、１×Ｎ光スプリッタ２１Ｘの構成によっては、光損失が小さくなる。同様に、光カプラ２３ａ〜２３ｇをＮ×１光カプラ２３Ｘに置き換えると、Ｎ×１光カプラ２３Ｘの構成によっては、光損失が小さくなる。
【００７２】
図８（ｃ）に示す例では、光チューナブルフィルタ２２−１〜２２−８は光チューナブルフィルタアレイ２２Ｘに置き換えられ、分岐回路２１は１×Ｎ光スプリッタ２１Ｘにより実現され、合波回路２３はＮ×１光カプラ２３Ｘにより実現されている。なお、図８（ａ）〜図８（ｃ）に示す構成は、第１および第２の実施形態のいずれにおいても採用することができる。
【００７３】
＜光フィルタ回路１８の調整＞
光フィルタ回路１８は、上述したように、通過波長に同調可能な光チューナブルフィルタ２２−１〜２２−８を備える。そして、各光チューナブルフィルタ２２−１〜２２−８の通過波長は、コントローラ１９によって調整される。
【００７４】
以下の説明では、光フィルタ回路１８は、図９（ａ）に示すＷＤＭ信号から光信号＃２を抽出するものとする。また、光フィルタ回路１８は、光チューナブルフィルタ２２−１を利用して光信号＃２を抽出するものとする。この場合、コントローラ１９は、光チューナブルフィルタ２２−１の通過波長をλ２に同調するための制御信号を生成する。
【００７５】
コントローラ１９は、例えば、光チューナブルフィルタ２２−１の印加電圧を制御することにより、光チューナブルフィルタ２２−１の通過波長を調整する。この場合、光チューナブルフィルタ２２−１の印加電圧は、波長λ２に対応する目標電圧に徐々に近づいていくことになる。そうすると、光チューナブルフィルタ２２−１の通過波長は、信号帯域の外からλ２に徐々に近づいていく。すなわち、上述の調整期間においては、光チューナブルフィルタ２２−１の通過波長は、λ０からλ２に徐々に近づいていく。
【００７６】
図９（ｂ）は、調整期間における光チューナブルフィルタ２２−１の通過波長および出力の状態を表している。なお、光フィルタ回路１８には、図９（ａ）に示すＷＤＭ信号が入力されているものとする。また、図９（ｂ）に示す各矢印は、それぞれ時刻ｎ〜ｎ＋３における通過波長を表している。
【００７７】
時刻ｎにおいては、光チューナブルフィルタ２２−１の通過波長はλ１よりも短く、各光信号は光チューナブルフィルタ２２−１によって遮断される。ところが、光チューナブルフィルタ２２−１の通過波長がλ０からλ２に徐々に近づいていく過程では、その通過波長は、一時的にλ１になる。図９（ｂ）に示す例では、時刻ｎ＋１において光チューナブルフィルタ２２−１の通過波長がλ１である。そして、光チューナブルフィルタ２２−１の通過波長がλ１であるときは、光信号＃１は、光チューナブルフィルタ２２−１を通過する。すなわち、光フィルタ回路１８は、上述の調整期間において、一時的に光信号＃１を出力してしまう。
【００７８】
このとき、例えば、波長選択フィルタ１３または他の光チューナブルフィルタ２２−２〜２２−８により光信号＃１が選択されるものとすると、互いに位相が整合していない２つの光信号＃１が合流することになるので、光信号＃１の品質が劣化してしまう。
【００７９】
このように、光フィルタ回路１８は、コントローラ１９によって光チューナブルフィルタ２２−１〜２２−８の通過波長が調整されるときに、不要な光信号を抽出して出力するおそれがある。したがって、光フィルタ回路１８は、通過波長の調整期間中に不要な光信号の出力を回避する機能を備えることが好ましい。以下の説明では、この機能のことを信号遮断機能と呼ぶことがある。
【００８０】
図１０は、信号遮断機能を備える光フィルタ回路１８の一例を示す図である。なお、光フィルタ回路１８は、上述したように、分岐回路２１、光チューナブルフィルタ２２−１〜２２−８、合波回路２３を備える。
【００８１】
図１０に示す例では、分岐回路２１は、光スプリッタ２１ａ〜２１ｃ、および可変光スプリッタ２１ｈ〜２１ｋを備える。光スプリッタ２１ａ〜２１ｃの作用は、上述した通りである。したがって、入力ＷＤＭ信号は、光スプリッタ２１ａ〜２１ｃにより分岐され、可変光スプリッタ２１ｈ〜２１ｋに導かれる。
【００８２】
可変光スプリッタ２１ｈは、光スプリッタ２２ｂから出力されるＷＤＭ信号を分岐して光チューナブルフィルタ２２−１、２２−２に導く。可変光スプリッタ２２ｉは、光スプリッタ２２ｂから出力されるＷＤＭ信号を分岐して光チューナブルフィルタ２２−３、２２−４に導く。可変光スプリッタ２２ｊは、光スプリッタ２２ｃから出力されるＷＤＭ信号を分岐して光チューナブルフィルタ２２−５、２２−６に導く。可変光スプリッタ２２ｋは、光スプリッタ２２ｃから出力されるＷＤＭ信号を分岐して光チューナブルフィルタ２２−７、２２−８に導く。
【００８３】
各可変光スプリッタ２１ｈ〜２１ｋは、コントローラ１９の指示（図１０では、制御信号Ｃ）に応じて、それぞれ分岐比を調整することができる。コントローラ１９は、光フィルタ回路１８が通常動作をしているとき（すなわち、光チューナブルフィルタ２２−１〜２２−８の通過波長の同調が行われていないとき）は、各可変光スプリッタ２１ｈ〜２１ｋの分岐比を５０：５０に制御する。したがって、光フィルタ回路１８が通常動作をしているときは、光チューナブルフィルタ２２−１〜２２−８に実質的に同じパワーのＷＤＭ信号が入力される。
【００８４】
これに対して、ある光チューナブルフィルタの通過波長の調整期間においては、コントローラ１９は、その光チューナブルフィルタへの入力光のパワーを低下させるように、制御信号Ｃを利用して対応する可変光スプリッタの分岐比を制御する。例えば、光チューナブルフィルタ２２−１の通過波長に同調されるときは、コントローラ１９は、光チューナブルフィルタ２２−１への入力光のパワーを低下させるように、可変光スプリッタ２１ｈの分岐比を制御する。このとき、コントローラ１９は、例えば、可変光スプリッタ２１ｈの分岐比を０：１００に制御する。そうすると、光チューナブルフィルタ２２−１への入力光は、可変光スプリッタ２１ｈにより遮断される。
【００８５】
続いて、コントローラ１９は、光チューナブルフィルタ２２−１への入力光が遮断されている状態で、制御信号Ｂを利用して、光チューナブルフィルタ２２−１の印加電圧を目標電圧に設定する。そして、光チューナブルフィルタ２２−１の印加電圧が安定した後、コントローラ１９は、可変光スプリッタ２１ｈの分岐比を５０：５０に戻す。
【００８６】
上記構成においては、光チューナブルフィルタの印加電圧が安定するまでの期間は、その光チューナブルフィルタへの入力光が遮断される。よって、光チューナブルフィルタの調整期間中にその光チューナブルフィルタから不要な光信号が出力されることはない。
【００８７】
ただし、図１０に示す構成では、例えば、光チューナブルフィルタ２２−１への入力光を遮断するために、可変光スプリッタ２１ｈの分岐比が０：１００に制御されると、光チューナブルフィルタ２２−２への入力光のパワーが大きくなる。このため、光チューナブルフィルタ２２−２がＷＤＭ信号から光信号を抽出して出力すると、その出力光パワーは他の光チューナブルフィルタの出力光パワーよりも大きくなり、ＷＤＭ信号内の光信号間のパワーバランスが劣化するおそれがある。
【００８８】
この問題は、例えば、図１１（ａ）に示すように、各光チューナブルフィルタ２２−１〜２２−８に対してそれぞれ可変光減衰器２４−１〜２４−８を設けることにより、解決または緩和される。可変光減衰器２４−１〜２４−８は、例えば、図１１（ｂ）に示すように、フィードバック制御で光レベルを一定に保持する。
【００８９】
例えば、光チューナブルフィルタ２２−１の通過波長が調整されるときは、上述したように、コントローラ１９は、可変光スプリッタ２１ｈの分岐比を０：１００に制御する。そうすると、光チューナブルフィルタ２２−１への入力光が遮断されるが、光チューナブルフィルタ２２−２の出力パワーは大きくなる。このとき、光チューナブルフィルタ２２−２に対して設けられている可変光減衰器２４−２は、光レベルを一定の保持するように動作する。すなわち、調整期間における光チューナブルフィルタ２２−２の出力パワーの変動は、可変光減衰器２４−２によって補償される。
【００９０】
なお、上述のようにして光チューナブルフィルタ２２−１への入力光が遮断されると、光チューナブルフィルタ２２−１に対して設けられている可変光減衰器２４−１の動作が不安定になるおそれがある。よって、この場合、コントローラ１９は、可変光減衰器２４−１の動作を停止するようにしてもよい。また、図１１（ａ）に示す例では、光チューナブルフィルタ２２−１〜２２−８の出力側に可変光減衰器２４−１〜２４−８が設けられているが、光チューナブルフィルタ２２−１〜２２−８の入力側に可変光減衰器２４−１〜２４−８が設けられてもよい。
【００９１】
図１２は、信号遮断機能を備える光フィルタ回路１８の他の例を示す図である。図１２に示す光フィルタ回路１８において、分岐回路２１および光チューナブルフィルタ２２−１〜２２−８は、図２を参照しながら説明した通りである。すなわち、分岐回路２１は、光カプラ２１ａ〜２１ｇを備え、入力ＷＤＭ信号を分岐して光チューナブルフィルタ２２−１〜２２−８に導く。また、光チューナブルフィルタ２２−１〜２２−８は、コントローラ１９により生成される制御信号Ｂに応じて、通過波長を調整する。
【００９２】
合波回路２３は、可変光カプラ２３ｈ〜２３ｋ、および光カプラ２３ｅ〜２３ｇを備える。可変光カプラ２３ｈ〜２３ｋは、図２に示す光カプラ２３ａ〜２３ｄと同様に、それぞれ対応する２つの光チューナブルフィルタの出力光を合波する。そして、光カプラ２３ｅ〜２３ｇは、可変光カプラ２３ｈ〜２３ｋの出力光を合波する。
【００９３】
各可変光カプラ２３ｈ〜２３ｋは、コントローラ１９の指示（図１２においては、制御信号Ｄ）に応じて、それぞれ結合比を調整することができる。コントローラ１９は、光フィルタ回路１８が通常動作をしているとき（すなわち、光チューナブルフィルタ２２−１〜２２−８の通過波長の調整が行われていないとき）は、各可変光カプラ２３ｈ〜２３ｋの結合比を５０：５０に制御する。
【００９４】
ある光チューナブルフィルタの通過波長の調整期間においては、コントローラ１９は、その光チューナブルフィルタの出力光のパワーを低下させるように、制御信号Ｄを利用して対応する可変光カプラの結合比を制御する。例えば、光チューナブルフィルタ２２−１の通過波長が調整されるときは、コントローラ１９は、光チューナブルフィルタ２２−１の出力光のパワーを低下させるように、可変光カプラ２３ｈの分岐比を制御する。このとき、コントローラ１９は、たとえば、可変光カプラ２３ｈの結合比を０：１００に制御する。そうすると、光チューナブルフィルタ２２−１の出力光は、可変光カプラ２３ｈにより遮断される。
【００９５】
続いて、コントローラ１９は、光チューナブルフィルタ２２−１の出力光が遮断されている状態で、制御信号Ｂを利用して、光チューナブルフィルタ２２−１の印加電圧を目標電圧に設定する。そして、光チューナブルフィルタ２２−１の印加電圧が安定した後、コントローラ１９は、可変光カプラ２３ｈの分岐比を５０：５０に戻す。
【００９６】
上記構成においては、光チューナブルフィルタの印加電圧が安定するまでの期間は、その光チューナブルフィルタの出力光が遮断される。よって、光チューナブルフィルタの調整期間中にその光チューナブルフィルタから不要な光信号が出力されることはない。
【００９７】
なお、図１２に示す光フィルタ回路１８においても、図１１（ａ）に示す構成と同様に、光チューナブルフィルタ２２−１〜２２−８に対してそれぞれ可変光減衰器２４−１〜２４−８を設けてもよい。この場合も、可変光減衰器２４−１〜２４−８は、光チューナブルフィルタ２２−１〜２２−８の入力側または出力側のいずれに設けてもよい。
【００９８】
図１３は、信号遮断機能を備える光フィルタ回路１８のさらに他の例を示す図である。図１３に示す光フィルタ回路１８において、光スプリッタ２１ａ〜２１ｇ、光チューナブルフィルタ２２−１〜２２−８、光カプラ２３ａ〜２３ｇは、図２に示す構成と実質的に同じである。ただし、図１３に示す光フィルタ回路１８は、光チューナブルフィルタ２２−１〜２２−８に対してそれぞれ可変光減衰器２５−１〜２５−８が設けられている。可変光減衰器２５−１〜２５−８は、合波回路２３の一部として設けられてもよいし、合波回路２３の外に設けられてもよい。
【００９９】
可変光減衰器２５−１〜２５−８は、コントローラ１９の指示（図１３においては、制御信号Ｅ）に応じて、それぞれ減衰量を調整することができる。コントローラ１９は、光フィルタ回路１８が通常動作をしているとき（すなわち、光チューナブルフィルタ２２−１〜２２−８の通過波長の調整が行われていないとき）は、可変光減衰器２５−１〜２５−８の減衰量を最小に制御する。この場合、光チューナブルフィルタ２２−１〜２２−８の出力光は、実質的に減衰することなく、対応する光カプラ２３ａ〜２３ｄに導かれる。或いは、光フィルタ回路１８が通常動作をしているときは、可変光減衰器２５−１〜２５−８は、レベル一定制御を行うようにしてもよい。
【０１００】
ある光チューナブルフィルタの通過波長の調整期間においては、コントローラ１９は、その光チューナブルフィルタの出力光のパワーを低下させるように、制御信号Ｅを利用して対応する可変光減衰器の減衰量を制御する。例えば、光チューナブルフィルタ２２−１の通過波長が調整されるときは、コントローラ１９は、光チューナブルフィルタ２２−１の出力光のパワーを低下させるように、可変光減衰器２５−１の減衰量を制御する。このとき、コントローラ１９は、例えば、可変光減衰器２５−１の減衰量を最大に制御する。そうすると、光チューナブルフィルタ２２−１の出力光は、可変光減衰器２５−１により実質的に遮断される。
【０１０１】
続いて、コントローラ１９は、光チューナブルフィルタ２２−１の出力光が実質的に遮断されている状態で、制御信号Ｂを利用して、光チューナブルフィルタ２２−１の印加電圧を目標電圧に設定する。そして、光チューナブルフィルタ２２−１の印加電圧が安定した後、コントローラ１９は、可変減衰器２５−１の減衰量を徐々に最小値に戻す。
【０１０２】
上記構成においては、光チューナブルフィルタの印加電圧が安定するまでの期間は、その光チューナブルフィルタの出力光が実質的に遮断される。よって、光チューナブルフィルタの調整期間中にその光チューナブルフィルタから不要な光信号が出力されることはない。
【０１０３】
なお、図１３においては、可変光減衰器２５−１〜２５−８は光チューナブルフィルタ２２−１〜２２−８に出力側に設けられているが、可変光減衰器２５−１〜２５−８は、光チューナブルフィルタ２２−１〜２２−８に入力側に設けられてもよい。この場合、コントローラ１９は、通過波長を調整すべき光チューナブルフィルタへの入力光が実質的に遮断されるように、その光チューナブルフィルタに対応する可変光減衰器を制御する。
【０１０４】
図１４は、信号遮断機能を備える光フィルタ回路１８のさらに他の例を示す図である。図１４に示す光フィルタ回路１８は、ブルー／レッド帯域フィルタ２１Ｙ、光チューナブルフィルタ２２−１〜２２−８、光スイッチ２６−１〜２６−８、ブルー／レッド帯域フィルタ２３Ｙを備える。なお、ブルー／レッド帯域フィルタ２１Ｙは分岐回路２１の一例であり、ブルー／レッド帯域フィルタ２３Ｙは合波回路２３の一例である。
【０１０５】
ブルー／レッド帯域フィルタ２１Ｙは、図１５に示すように、ブルー帯域４１を抽出するブルー帯域フィルタ、およびレッド帯域４２を抽出するレッド帯域フィルタ備える。ブルー帯域フィルタは、入力ＷＤＭ信号の信号帯域λ１〜λｎから短波長帯域λ１〜λｍを抽出する。すなわち、ブルー帯域フィルタは、入力ＷＤＭ信号から光信号＃１〜＃ｍを抽出する。同様に、レッド帯域フィルタは、信号帯域λ１〜λｎから長波長帯域λｍ＋１〜λｎを抽出する。すなわち、レッド帯域フィルタは、入力ＷＤＭ信号から光信号＃ｍ＋１〜＃ｎを抽出する。そして、ブルー／レッド帯域フィルタ２１Ｙは、ブルー帯域４１内の光信号を光チューナブルフィルタ２２−１〜２２−４へ導き、レッド帯域４２内の光信号を光チューナブルフィルタ２２−５〜２２−８へ導く。
【０１０６】
光チューナブルフィルタ２２−１〜２２−８は、それぞれ、コントローラ１９により指定される波長を選択する。ただし、コントローラ１９は、光チューナブルフィルタ２２−１〜２２−４に対しては、波長範囲λ１〜λｍにおいて通過波長を指定し、光チューナブルフィルタ２２−５〜２２−８に対しては、波長範囲λｍ＋１〜λｎにおいて通過波長を指定する。
【０１０７】
光スイッチ２６−１〜２６−８は、コントローラ１９の指示（図１４においては、制御信号Ｆ）に応じて、それぞれ光信号を遮断することができる。コントローラ１９は、光フィルタ回路１８が通常動作をしているとき（すなわち、光チューナブルフィルタ２２−１〜２２−８の通過波長の調整が行われていないとき）は、光信号が通過するように光スイッチ２６−１〜２６−８の状態を制御する。
【０１０８】
ある光チューナブルフィルタの通過波長の調整期間においては、コントローラ１９は、その光チューナブルフィルタの出力光を遮断するように、制御信号Ｆを利用して対応する光スイッチの状態を制御する。例えば、光チューナブルフィルタ２２−１の通過波長が調整されるときは、コントローラ１９は、光チューナブルフィルタ２２−１の出力光を遮断するように、光スイッチ２６−１の状態を制御する。そうすると、光チューナブルフィルタ２２−１の出力光は、光スイッチ２６−１により遮断される。
【０１０９】
続いて、コントローラ１９は、光チューナブルフィルタ２２−１の出力光が遮断されている状態で、制御信号Ｂを利用して、光チューナブルフィルタ２２−１の印加電圧を目標電圧に設定する。そして、光チューナブルフィルタ２２−１の印加電圧が安定した後、コントローラ１９は、光スイッチ２６−１を遮断状態から通過状態に戻す。
【０１１０】
ブルー／レッド帯域フィルタ２３Ｙは、合波回路２３として動作する。すなわち、ブルー／レッド帯域フィルタ２３Ｙは、光チューナブルフィルタ２２−１〜２２−４から出力されるブルー帯域４１内の光信号、および光チューナブルフィルタ２２−５〜２２−８から出力されるレッド帯域４２内の光信号を合波する。
【０１１１】
図１４に示す構成においては、光チューナブルフィルタの印加電圧が安定するまでの期間は、その光チューナブルフィルタの出力光が遮断される。よって、光チューナブルフィルタの調整期間中にその光チューナブルフィルタから不要な光信号が出力されることはない。図２に示す光スプリッタ２１ａ〜２１ｇをブルー／レッド帯域フィルタ２１Ｙに置き換えると、光ロスが小さくなる。同様に、図２に示す光カプラ２３ａ〜２３ｇをブルー／レッド帯域フィルタ２３Ｙに置き換えると、光ロスが小さくなる。
【０１１２】
なお、図１４においては、光スイッチ２６−１〜２６−８は光チューナブルフィルタ２２−１〜２２−８に出力側に設けられているが、光スイッチ２６−１〜２６−８は、光チューナブルフィルタ２２−１〜２２−８に入力側に設けられてもよい。この場合、コントローラ１９は、通過波長を調整すべき光チューナブルフィルタへの入力光が遮断されるように、その光チューナブルフィルタに対応する光スイッチの状態を制御する。
【０１１３】
また、図８（ａ）〜図８（ｃ）、図１０〜図１４に示す構成は、矛盾の生じない範囲で任意に組み合わせることができる。例えば、図１０〜図１４に示す光フィルタ回路１８において、光チューナブルフィルタ２２−１〜２２−８に代わりに、光チューナブルフィルタアレイ２２Ｘを備えるようにしてもよい。或いは、図１３に示す光フィルタ回路１８において、可変光減衰器２５−１〜２５−８に代わりに、光スイッチ２６−１〜２６−８を備えるようにしてもよい。
【０１１４】
＜マルチビットレートＷＤＭ＞
ＷＤＭ信号は、ビットレートの異なる複数の光信号を伝送できる。例えば、図１６に示すＷＤＭ信号は、10Gbit/sデータを伝送する光信号＃１、＃２、40Gbit/sデータを伝送する光信号＃３、＃５、100Gbit/sデータを伝送する光信号＃４、＃６を含む。ところが、光信号のスペクトル幅は、伝送するデータのビットレートに依存する。すなわち、ビットレートが低い光信号のスペクトル幅は狭く、ビットレートが高い光信号のスペクトル幅は広い。
【０１１５】
ＷＤＭ信号から所望の波長の光信号を抽出する光チューナブルフィルタの通過帯域幅は、その光信号のスペクトル幅に応じて決定されることが好ましい。例えば、対象光信号のスペクトル幅に対して光チューナブルフィルタの通過帯域幅が広すぎると、信号成分に加えて雑音成分も出力されるので、光Ｓ／Ｎ比が劣化するおそれがある。また、対象光信号のスペクトル幅に対して光チューナブルフィルタの通過帯域幅が狭すぎると、信号成分の一部が除去されるので、この場合も光Ｓ／Ｎ比が劣化するおそれがある。以下、様々なビットレートの光信号を伝送し得るＷＤＭシステムのことを、マルチビットレートＷＤＭシステムと呼ぶことがある。
【０１１６】
図１７（ａ）は、マルチビットレートＷＤＭシステムにおいて使用される光フィルタ回路１８の一例を示す。図１７（ａ）に示す光フィルタ回路１８は、分岐回路２１（光スプリッタ２１ａ〜２１ｇ）、帯域幅可変光チューナブルフィルタ２７−１〜２７−８、合波回路２３（光カプラ２３−１〜２３−８）を備える。なお、以下の説明では、入力ＷＤＭ信号は、図１６に示すように、10Gbit/sデータを伝送する光信号、40Gbit/sデータを伝送する光信号、100Gbit/sデータを伝送する光信号を含むものとする。
【０１１７】
分岐回路２１および合波回路２３の構成および動作は、図２または図４を参照しながら説明した通りである。したがって、分岐回路２１は、入力ＷＤＭ信号を分岐して帯域幅可変光チューナブルフィルタ２７−１〜２７−８に導く。また、合波回路２３は、帯域幅可変光チューナブルフィルタ２７−１〜２７−８から出力される光信号を合波する。
【０１１８】
帯域幅可変光チューナブルフィルタ２７−１〜２７−８は、それぞれ、図１７（ｂ）に示すように、光チューナブルフィルタ５１〜５３、および光スイッチ５４を備える。光チューナブルフィルタ５１の出力光は、光チューナブルフィルタ５２および光スイッチ５４に導かれる。光チューナブルフィルタ５２の出力光は、光チューナブルフィルタ５３および光スイッチ５４に導かれる。光チューナブルフィルタ５３の出力光は、光スイッチ５４に導かれる。ここで、光チューナブルフィルタ５１〜５３は、それぞれコントローラ１９の制御に従って、通過波長を調整することができる。ただし、コントローラ１９は、１つの帯域幅可変光チューナブルフィルタ内の光チューナブルフィルタ５１〜５３に対して同じ通過波長を設定する。
【０１１９】
光チューナブルフィルタ５１〜５３は、それぞれ帯域通過光フィルタである。ここで、光チューナブルフィルタ５１〜５３の通過帯域は、上述したように、コントローラ１９に生成される制御信号Ｂに応じて調整される。また、光チューナブルフィルタ５１〜５３の通過帯域幅は、下記の通りである。すなわち、光チューナブルフィルタ５１の通過帯域幅は、100Gbit/sデータを伝送する光信号を抽出するように最適化されている。同様に、光チューナブルフィルタ５２、５３の通過帯域幅は、それぞれ、40Gbit/sデータ、10Gbit/sデータを伝送する光信号を抽出するように最適化されている。この場合、３つのフィルタ５１〜５３において、光チューナブルフィルタ５１の通過帯域幅が最も広く、光チューナブルフィルタ５３の通過帯域幅が最も狭い。
【０１２０】
光スイッチ５４は、コントローラ１９からの指示（図１７では、制御信号Ｇ）に応じて光チューナブルフィルタ５１〜５３のいずれか１つを選択する。ここで、コントローラ１９は、選択すべき光信号のビットレートに応じて、光チューナブルフィルタ５１〜５３のいずれか１つを選択する。例えば、光信号のビットレートが100Gbit/sであれば、コントローラ１９は、光スイッチ５４に対して、光チューナブルフィルタ５１の出力光信号を選択する制御信号Ｇを生成する。光信号のビットレートが40Gbit/sであれば、制御信号Ｇは、光チューナブルフィルタ５２の出力光信号を選択する。同様に、光信号のビットレートが10Gbit/sであれば、制御信号Ｇは、光チューナブルフィルタ５３の出力光信号を選択する。なお、コントローラ１９は、ＷＤＭ信号に含まれている各光信号のビットレートを認識しているものとする。
【０１２１】
このように、図１７に示す光フィルタ回路１８は、帯域幅可変光チューナブルフィルタを備え、その帯域幅可変光チューナブルフィルタの通過波長を任意の調整することができる。よって、図１７に示す構成によれば、ＷＤＭ信号から所望の波長を選択することができ、且つ、選択した光信号の光Ｓ／Ｎ比を高くすることができる。
【０１２２】
なお、帯域幅可変光チューナブルフィルタは、図１７（ｂ）に示す構成に限定されるものではない。例えば、光スプリッタを利用して入力ＷＤＭ信号を光チューナブルフィルタ５１〜５３に分岐してもよい。この場合、各光チューナブルフィルタ５１〜５３の出力光がそれぞれ光スイッチ５４に導かれる。
【０１２３】
上述の各実施例を含む実施形態に関し、さらに以下の付記を開示する。
（付記１）
入力ＷＤＭ信号から予め決められた波長の光信号を選択する波長選択スイッチと、
通過波長を同調可能な光チューナブルフィルタを含む光フィルタ回路と、
前記入力ＷＤＭ信号を分岐して前記光フィルタ回路に導く分岐器と、
前記波長選択スイッチにより選択される光信号および前記光フィルタ回路から出力される光信号を合波する合波器と、
を備える光伝送装置。
（付記２）
付記１に記載の光伝送装置であって、
前記光チューナブルフィルタの通過波長を制御するコントローラをさらに備え、
前記コントローラは、前記波長に配置されていない波長を選択する制御信号を出力し、
前記光チューナブルフィルタは、前記制御信号に応じて、通過波長を同調する
ことを特徴とする光伝送装置。
（付記３）
付記１に記載の光伝送装置であって、
前記入力ＷＤＭ信号に含まれる前記波長の光信号を波長ごとに分離する第１のデマルチプレクサと、
前記入力ＷＤＭ信号に含まれる前記波長に配置されていない光信号を波長ごとに分離する第２のデマルチプレクサと、
前記波長の光信号を多重化する第１のマルチプレクサと、
前記波長に配置されていない光信号を多重化する第２のマルチプレクサ、をさらに備え、
前記分岐器は、前記入力ＷＤＭ信号を分岐して前記光フィルタ回路、前記第１のデマルチプレクサ、前記第２のデマルチプレクサに導き、
前記第１および第２のマルチプレクサから出力される光信号は、前記波長選択スイッチにより選択される光信号に合波される
ことを特徴とする光伝送装置。
（付記４）
付記１〜３のいずれか１つに記載の光伝送装置であって、
前記光フィルタ回路は、複数の光チューナブルフィルタと、前記分岐器から導かれてくるＷＤＭ信号を分岐して前記複数の光チューナブルフィルタに導く分岐回路と、前記複数の光チューナブルフィルタから出力される光信号を合波する合波回路、を備える
ことを特徴とする光伝送装置。
（付記５）
付記４に記載の光伝送装置であって、
前記複数の光チューナブルフィルタは、光チューナブルフィルタアレイである
ことを特徴とする光伝送装置。
（付記６）
付記４に記載の光伝送装置であって、
前記分岐回路は、多段に接続された複数の光スプリッタである
ことを特徴とする光伝送装置。
（付記７）
付記４に記載の光伝送装置であって、
前記分岐回路は、１つの入力ポートおよび複数の出力ポートを備える光スプリッタデバイスである
ことを特徴とする光伝送装置。
（付記８）
付記４に記載の光伝送装置であって、
前記合波回路は、多段に接続された複数の光カプラである
ことを特徴とする光伝送装置。
（付記９）
付記４に記載の光伝送装置であって、
前記合波回路は、複数の入力ポートおよび１つの出力ポートを備える光カプラデバイスである
ことを特徴とする光伝送装置。
（付記１０）
ＷＤＭ信号から指定された波長の光信号を選択する光フィルタ回路であって、
通過波長を同調可能な複数の光チューナブルフィルタと、
前記複数の光チューナブルフィルタの通過波長を制御するコントローラと、
前記ＷＤＭ信号を分岐して前記複数の光チューナブルフィルタに導く分岐回路と、
前記複数の光チューナブルフィルタから出力される光信号を合波する合波回路と、を備え、
前記コントローラは、前記複数の光チューナブルフィルタの中の第１の光チューナブルフィルタの通過波長を同調する調整期間において、前記第１の光チューナブルフィルタの出力光が前記光フィルタ回路から出力されないように或いは前記第１の光チューナブルフィルタの出力光のパワーを低下するように、前記光フィルタ回路を制御する
ことを特徴とする光フィルタ回路。
（付記１１）
付記１０に記載の光フィルタ回路であって、
前記分岐回路は、入力光を分岐して前記第１の光チューナブルフィルタおよび前記複数の光チューナブルフィルタの中の第２の光チューナブルフィルタに導く、分岐比を調整可能な可変光スプリッタを含み、
前記コントローラは、前記調整期間において、前記第１の光チューナブルフィルタへの入力光のパワーを低下させるように、前記可変光スプリッタの分岐比を制御する
ことを特徴とする光フィルタ回路。
（付記１２）
付記１１に記載の光フィルタ回路であって、
前記複数の光チューナブルフィルタの入力側または出力側にそれぞれ可変光減衰器を備え、
前記コントローラは、前記調整期間において、前記第２の光チューナブルフィルタから出力される光信号のパワーの変化を補償するように、前記第２の光チューナブルフィルタに対応する前記可変光減衰器を制御する
ことを特徴とする光フィルタ回路。
（付記１３）
付記１０に記載の光フィルタ回路であって、
前記合波回路は、前記第１の光チューナブルフィルタおよび前記複数の光チューナブルフィルタの中の第２の光チューナブルフィルタの出力光を合波する、合波比を調整可能な可変光カプラを含み、
前記コントローラは、前記調整期間において、前記第１の光チューナブルフィルタの出力光のパワーを低下させるように、前記可変光カプラの分岐比を制御する
ことを特徴とする光フィルタ回路。
（付記１４）
付記１０に記載の光フィルタ回路であって、
前記複数の光チューナブルフィルタにそれぞれ対応する複数の可変光減衰器をさらに備え、
前記コントローラは、前記調整期間において、前記第１の光チューナブルフィルタからの出力光のパワーを低下させるように、前記第１の光チューナブルフィルタに対応する前記可変光減衰器を制御する
ことを特徴とする光フィルタ回路。
（付記１５）
付記１０に記載の光フィルタ回路であって、
前記複数の光チューナブルフィルタにそれぞれ対応する複数の光スイッチをさらに備え、
前記コントローラは、前記調整期間において、前記第１の光チューナブルフィルタからの出力光を遮断するように、前記第１の光チューナブルフィルタに対応する前記光スイッチを制御する
ことを特徴とする光フィルタ回路。
（付記１６）
付記１０に記載の光フィルタ回路であって、
前記複数の光チューナブルフィルタにそれぞれ対応する複数の可変光減衰器をさらに備え、
前記コントローラは、前記調整期間において、前記第１の光チューナブルフィルタへの入力光のパワーを低下させるように、前記第１の光チューナブルフィルタに対応する前記可変光減衰器を制御する
ことを特徴とする光フィルタ回路。
（付記１７）
付記１０に記載の光フィルタ回路であって、
前記複数の光チューナブルフィルタにそれぞれ対応する複数の光スイッチをさらに備え、
前記コントローラは、前記調整期間において、前記第１の光チューナブルフィルタへの入力光を遮断するように、前記第１の光チューナブルフィルタに対応する前記光スイッチを制御する
ことを特徴とする光フィルタ回路。
（付記１８）
付記１０に記載の光フィルタ回路であって、
前記分岐回路は、前記ＷＤＭ信号から第１の帯域内の複数の光信号を抽出して第１グループに属する対応する光チューナブルフィルタへ導くと共に、前記ＷＤＭ信号から前記第１の帯域と異なる第２の帯域内の複数の光信号を抽出して第２グループに属する対応する光チューナブルフィルタへ導く帯域フィルタである
ことを特徴とする光フィルタ回路。
（付記１９）
付記１８に記載の光フィルタ回路であって、
前記合波回路は、前記第１グループに属する光チューナブルフィルタから出力される前記第１の帯域内の光信号、および前記第２グループに属する光チューナブルフィルタから出力される前記第２の帯域内の光信号を波長分割多重化する帯域フィルタである
ことを特徴とする光フィルタ回路。
（付記２０）
ＷＤＭ信号から指定された波長の光信号を選択する光フィルタ回路であって、
通過波長に同調可能かつ通過帯域幅を調整可能な複数の光チューナブルフィルタと、
前記複数の光チューナブルフィルタの通過波長および通過帯域幅を制御するコントローラと、
前記ＷＤＭ信号を分岐して前記複数の光チューナブルフィルタに導く分岐回路と、
前記複数の光チューナブルフィルタから出力される光信号を合波する合波回路と、を備え、
前記コントローラは、対象光チューナブルフィルタが選択する光信号の波長に基づいて第１の制御信号を生成すると共に、前記対象光チューナブルフィルタが選択する光信号のビットレートに基づいて第２の制御信号を生成し、
前記対象光チューナブルフィルタは、前記第１の制御信号に応じて通過波長に同調し、前記第２の制御信号に応じて通過帯域幅を調整する
ことを特徴とする光フィルタ回路。
（付記２１）
付記２０に記載の光フィルタ回路であって、
各光チューナブルフィルタは、通過帯域幅の異なる複数の通過波長可変光フィルタ、および前記複数の通過波長可変光フィルタの出力光を選択する光スイッチを含む
ことを特徴とする光フィルタ回路。
【符号の説明】
【０１２４】
１、２  光伝送装置
１２、３２  光スプリッタ
１３  波長選択スイッチ（ＷＳＳ）
１４、３４  光カプラ
１６、３１  光デマルチプレクサ
１７、３３  光マルチプレクサ
１８  光フィルタ回路
１９  コントローラ
２１  分岐回路
２１ａ〜２１ｇ  光スプリッタ
２１ｈ〜２１ｋ  可変光スプリッタ
２１Ｘ  １×Ｎ光スプリッタ
２１Ｙ、２３Ｙ  ブルー／レッド帯域フィルタ
２２−１〜２２−８  光チューナブルフィルタ
２２Ｘ  光チューナブルフィルタアレイ
２３  合波回路
２３ａ〜２３ｇ  光カプラ
２３ｈ〜２３ｋ  可変光カプラ
２３Ｘ  Ｎ×１光カプラ
２４−１〜２４−８、２５−１〜２５−８  可変光減衰器
２６−１〜２６−８  光スイッチ
５１〜５３  光チューナブルフィルタ
５４  光スイッチ
【図１】
0005807338.tif 000002
【図２】
0005807338.tif 000003
【図３】
0005807338.tif 000004
【図４】
0005807338.tif 000005
【図５】
0005807338.tif 000006
【図６】
0005807338.tif 000007
【図７】
0005807338.tif 000008
【図８】
0005807338.tif 000009
【図９】
0005807338.tif 000010
【図１０】
0005807338.tif 000011
【図１１】
0005807338.tif 000012
【図１２】
0005807338.tif 000013
【図１３】
0005807338.tif 000014
【図１４】
0005807338.tif 000015
【図１５】
0005807338.tif 000016
【図１６】
0005807338.tif 000017
【図１７】
0005807338.tif 000018